(57)【要約】【課題】無目の左右方向の中央部が下方へ膨出するように湾曲するのを防止する。【解決手段】方立３の室外側の端面に支持板４を設け、この支持板４に一対のブラケット５，５を設ける。この一対のブラケット５，５により、無目２の一端部と、この無目２の一端部に隣接する無目２の他端部とをそれぞれボルト６及びナット７によって固定する。これにより、一つの無目２の一端部と他端部とを、左右に隣接する方立３，３によって支持させる。無目２の一端部と他端部とには、セッティングブロックを８，８を設ける。セッティングブロック８は、方立３が支持板３、ブラケット５及びボルト６を介して無目２を支持する箇所より、左右方向において外側（無目２の端面側）に配置する。セッティングブロック８，８の上には、板ガラス１の下端面の一端部と他端部とを載置する。【選択図】　　　　図３
2004003217.tif 000002
【特許請求の範囲】
【請求項１】
左右に隣接して配置された二つの方立により、水平に配置された無目の両端部がそれぞれ支持され、この無目の両端部によって板材の両端部がそれぞれ支持された板材の支持構造において、
上記無目による上記板材の両端部に対する各支持箇所を、上記二つの方立による上記無目の両端部に対する各支持箇所より左右方向において外側に配置したことを特徴とする板材の支持構造。
【請求項２】
上記二つの方立による上記無目に対する各支持箇所を上記無目の両端面から同一距離だけ離し、上記無目による上記板材の両端部に対する各支持箇所を、上記方立による上記無目に対する各支持箇所から同一距離だけ外側に配置したことを特徴とする請求項１に記載の板材の支持構造。
【請求項３】
上記方立による上記無目に対する支持箇所と上記無目による上記板材に対する支持箇所との間の左右方向の距離をＬ１とし、上記二つの方立による上記無目に対する二つの支持箇所間の距離の半分をＬ２とし、上記無目の板材に対する支持箇所に作用する板材の荷重をＦ１とし、上記二つの方立による二つの支持箇所間に存する上記無目の自重をＦ２としたとき、
Ｆ１・Ｌ１＝Ｆ２・Ｌ２
がほぼ成立するように構成したことを特徴とする請求項２に記載の板材の支持構造。
【発明の詳細な説明】
【０００１】
【発明の属する技術分野】
この発明は、板材の支持構造、例えば建築物の外壁として用いられる板ガラス支持構造に関する。
【０００２】
【従来の技術】
一般に、建築物の外壁として用いられる板ガラスを支持する場合には、上下に延びる多数の方立を左右方向に適宜間隔をおいて立設し、左右方向に隣接する二つの方立によって水平に配置された無目の両端部を支持させる。そして、この無目の両端部によって板ガラスの下面両端部をセッティングブロックを介して支持している。
【０００３】
【発明が解決しようとする課題】
図５は、上記従来の板ガラスの支持構造における無目を模式的に示すものであり、無目Ｍは方立（図示せず）により点Ａ，Ｂにおいて支持されている。その一方、無目Ｍは、点Ｃ，Ｄにおいて板ガラス（図示せず）の荷重Ｆ１を支持しており、支持点Ａ，Ｂの左右方向の中点Ｅには支持点Ａ、Ｂ間に存する無目Ｍの自重Ｆ２が作用している。これから明かなように、無目Ｍに作用する荷重Ｆ１，Ｆ２は、いずれも支持点Ａ，Ｂの間に、つまり支持点Ａ，Ｂより左右方向において内側に位置している。このため、無目Ｍは、図５において想像線で示すように、下方に突出するように湾曲してしまい、建築物の美観を低下させるという問題があった。
【０００４】
【課題を解決するための手段】
この発明は、上記の問題を解決するためになされたもので、左右に隣接して配置された二つの方立により、水平に配置された無目の両端部がそれぞれ支持され、この無目の両端部によって板材の両端部がそれぞれ支持された板材の支持構造において、上記無目による上記板材の両端部に対する各支持箇所を、上記二つの方立による上記無目の両端部に対する各支持箇所より左右方向において外側に配置したことを特徴としている。
この場合、上記二つの方立による上記無目に対する各支持箇所を上記無目の両端面から同一距離だけ離し、上記無目による上記板材の両端部に対する各支持箇所を、上記方立による上記無目に対する各支持箇所から同一距離だけ外側に配置することが望ましい。特に、上記方立による上記無目に対する支持箇所と上記無目による上記板材に対する支持箇所との間の左右方向の距離をＬ１とし、上記二つの方立による上記無目に対する二つの支持箇所間の距離の半分をＬ２とし、上記無目の板材に対する支持箇所に作用する板材の荷重をＦ１とし、上記二つの方立による二つの支持箇所間に存する上記無目の自重をＦ２としたとき、
Ｆ１・Ｌ１＝Ｆ２・Ｌ２
がほぼ成立するように構成することが望ましい。
【０００５】
【発明の実施の形態】
以下、この発明の一実施の形態について図１〜図４を参照して説明する。なお、図１はこの発明に係る板材の支持構造が採用された建築物の一部をその外部側から見た正面図であり、図２、図３はそれぞれ図１のＸ−Ｘ線、Ｙ−Ｙ線に沿う拡大断面図である。
【０００６】
図１において符号１は板ガラス（板材）である。板ガラス１は、建築物の外壁を構成するものであり、上下左右に隣接して多数配置されている。各板ガラス１は、その下端面の左右両端部が無目２によって支持されている。無目２は、図２及び図３に示すように、方立３によって支持されている。
【０００７】
すなわち、板ガラス１より室内Ｉ側の建築物内には、Ｉ型鋼等からなる多数の方立３が上下に立設されている。各方立３は、板ガラス１によって構成される外壁に沿って配置されている。しかも、各方立３は、板ガラス１の左右方向の長さと同一の間隔をもって左右に離間し、かつ左右に隣接する二つの板ガラス１，１間の隙間と対向するように配置されている。各方立３の無目２と対向する箇所には、支持板４が溶接等の固定手段によって固定されている。この支持板４の左右の両側面には、Ｌ字状をなすブラケット５，５の一端部が溶接等の固定手段によってそれぞれ固定されている。各ブラケット５，５の他端部は、板ガラス１に沿って互いに離れるように水平方向に延びている。一つの方立３に固定された二つのブラケット５，５のうち、一方のブラケット５の他端部には、左右に隣接する二つの無目２，２うちの一方の一端部（図３に示す左側の無目２の右端部）がボルト６及びナット７によって固定されており、他方のブラケット５の他端部には、他方の無目２の他端部（図３に示す右側の無目２の左端部）がボルト６及びナット７によって固定されている。したがって、一つの無目２の両端部は、左右に隣接する二つの方立３，３にブラケット５，５を介して支持されている。
【０００８】
無目２は、板ガラス１の左右方向の長さとほぼ同一の長さを有しており、断面四角形の中空の本体部２ａと、この本体部２ａの室外Ｏ側を向く面の中間部に本体部２ａに沿って水平に設けられ、室外側へ突出する支持板部２ｂと、この支持板部２ｂの室外側の先端部に、本体部２ａと対向して設けられた化粧板部２ｃとを有している。支持板部２ｂとこれより上側に位置する本体部２ａ及び化粧板部２ｃとによって上部が開放された上装着溝２ｄが形成され、支持板部２ｂとこれより下側に位置する本体部２ａ及び化粧板部２ｃとによって下部が開放された下装着溝２ｅが形成されている。
【０００９】
上装着溝２ｄには、板ガラス１の下端部が挿入されている。板ガラス１の下端面の両端部は、支持板部２ｂの上面の左右方向の両端部に硬質ゴム、ナイロン等の硬質樹脂からなるセッティングブロック８，８を介して載置されている。これにより、板ガラス１の両端部が無目２の両端部にそれぞれ支持されている。セッティングブロック８は、その一端面を無目２の一端面と一致させて配置されており、その長さは無目２の一端面から当該一端面に近接して配置されたボルト６までの距離より短く設定されている。したがって、セッティングブロック８全体が、ボルト６より左右方向における外側（無目２の端面側）に配置されている。
【００１０】
上装着溝２ｄに挿入された板ガラス１の上端部と本体部２ａ及び化粧板部２ｃとの各間には、それらの間を気密に封止するシール部材９，９が設けられている。下装着溝２ｅには、板ガラス１の上端部が挿入されており、板ガラス１の上端部と本体部２ａ及び化粧板部２ｃとの各間には、それらの間を気密に封止するシール部材１０，１０が設けられている。また、左右に隣接する板ガラス１，１間には、シール部材１１が設けられ、左右に隣接する無目２，２間には、シール部材１２が設けられている。
【００１１】
図４は、室外側から見た無目２を模式的に示す図であり、方立３がブラケット５，５を介して無目２を支持する箇所（ボルト６，６の位置）がそれぞれＡ，Ｂで示され、無目２が板ガラス１の下端面をセッティングブロック８，８を介して支持する箇所（セッティングブロック８の左右方向の中央）がそれぞれＣ，Ｄとされている。支持箇所Ｃ，Ｄは、支持箇所Ａ，Ｂより左右方向における外側（無目２の端面側）に位置している。支持箇所Ｃ，Ｄには、板ガラスの全重量の半分である荷重Ｆ１がそれぞれ下方へ作用している。また、支持箇所Ａ，Ｂの左右方向における中点をＥとしたとき、中点Ｅには支持箇所Ａ，Ｂ間に存する無目２の自重Ｆ２が下方に向かって作用している。
【００１２】
上記構成の板ガラス１（板材）１の支持構造においては、支持箇所Ｃ，Ｄが支持箇所Ａ，Ｂより外側に位置しているので、無目２は支持箇所Ｃ，Ｄに作用する荷重Ｆ１，Ｆ１により、図４において想像線で示すように、上方へ向かって膨出するように湾曲させられる。一方、前述したように、中点Ｅに作用する自重Ｆ２によって無目２が下方へ膨出するように湾曲させられる。この結果、無目２の荷重Ｆ１，Ｆ１による上方への湾曲量と自重Ｆ２による下方への湾曲量とが相殺され、無目２全体の湾曲量が小さくなる。これによって、建築物の美観を向上させることができる。特に、この実施の形態においては、支持箇所Ａ，Ｃ間の距離及び支持箇所Ｂ，Ｄ間の距離をＬ１とし、支持箇所Ａ，Ｂと中点Ｅとの間の距離（支持箇所Ａ，Ｂ間の距離の半分）をＬ２としたとき、
Ｆ１・Ｌ１＝Ｆ２・Ｌ２
が成立するように構成されているので、荷重Ｆ１による無目２の上方への湾曲量と自重Ｆ２による無目２の下方への湾曲量がほぼ等しくなる。したがって、無目２はほとんど湾曲することがない。よって、建築物の美観をより一層向上させることができる。
【００１３】
なお、この発明は、上記の実施の形態に限定されるものでなく、適宜変更可能である。
例えば、上記の実施の形態においては、方立３にこれと別体である支持板４及びブラケット５を設けているが、支持板４及びブラケット５を方立３に一体に設けてもよい。その場合には無目２が方立３に直接支持されることになる。
また、上記の実施の形態においては、無目２の端面から支持箇所Ａ，Ｃまでの各距離を同一距離Ｌ１としているが、異なる距離に設定してもよい。
さらに、板材としては、板ガラス１以外に石膏ボード等の他の板材を採用することも可能である。
【００１４】
【発明の効果】
以上説明したように、この発明によれば、無目の中央部が下方へ膨出するように湾曲するのを軽減ないしは防止することができ、それによって建築物の美観を向上させることができるという効果が得られる。
【図面の簡単な説明】
【図１】この発明に係る板材の支持構造が採用された建築物の一部を示す正面図である。
【図２】図１のＸ−Ｘ線に沿う拡大断面図である。
【図３】図１のＹ−Ｙ線に沿う拡大断面図である。
【図４】この発明に係る板材の支持構造における無目及びそれに作用する外力を模式的に示す図である。
【図５】従来の板材の支持構造における無目及びそれに作用する外力を模式的に示す図である。
【符号の説明】
Ａ　方立による無目に対する支持箇所
Ｂ　方立による無目に対する支持箇所
Ｃ　無目による板ガラスに対する支持箇所
Ｄ　無目による板ガラスに対する支持箇所
１　板ガラス（板材）
２　無目
３　方立
【図１】
2004003217.tif 000003
【図２】
2004003217.tif 000004
【図３】
2004003217.tif 000005
【図４】
2004003217.tif 000006
【図５】
2004003217.tif 000007